(57)【特許請求の範囲】
【請求項１】
本体の上部に灰皿受けを有するベースを設け、
このベースの上部に吸込口を複数設けた吸込みリングを設け、
この吸込みリングの中央の孔に灰皿を挿入し前記灰皿受けの上に置く構成とし、
前記吸込口の下流側に設けた集塵手段と、
この集塵手段の下流側には吹出口を有した送風手段を設け、
前記送風手段を運転することで汚染空気を前記吸込口から吸い込み、前記集塵手段で除塵した空気を前記吹出口から排気する喫煙用空気清浄機であって、
前記集塵手段は、上部に設けた吸込口から吸い込んだ空気を吸い込む吸入面を鉛直方向に略平行に配し、
その吸入面を押えて保持するフィルター押えを設け、
さらに、吸入面と対向する前記本体側面に設けたメンテパネルを開放して脱着することを特徴とする喫煙用空気清浄機。
【請求項２】
灰皿は灰受けとこの灰受けにのせた灰皿カバーより成り、前記灰皿カバーは灰入れ孔を有するすり鉢部を設けたすり鉢状とし、前記灰入れ孔の上部に傘部を設け、この傘部は前記すり鉢部の内端側から上部に延びた複数の柱状の傘支持部で保持した請求項１記載の喫煙用空気清浄機。
【請求項３】
本体の底面に設けた吹出口から出る吹出し風を整流するダクトの表面に吸音材を張り巡らせたことを特徴とする請求項１または２記載の喫煙用空気清浄機。
【請求項４】
吸込みリングを、半無機系の耐熱塗料で塗装したことを特徴とする請求項１〜３いずれかに記載の喫煙用空気清浄機。
【発明の詳細な説明】
【０００１】
【発明の属する技術分野】
本発明は、喫煙室や待合室などに設置しタバコの煙を浄化する喫煙用空気清浄機に関するものである。
【０００２】
【従来の技術】
従来、この種の空気清浄機は特開２０００−４２３２５号公報に記載されたものが知られている。
【０００３】
以下、その空気清浄機について図９を参照しながら説明する。
【０００４】
図に示すように、内部にタバコの煙等を浄化するフィルター１０１を収納するフィルター収納室１０２とフィルター１０１を通じて吸気する送風機１０３を収納する送風機収納室１０４とに、縦方向に仕切板１０５を設けて２分した箱状の本体１０６上部の中央部に灰皿１０７を着脱自在に設け、灰皿１０７の周辺には周囲が下降する逆椀状でパンチングメタル等により形成され、フィルター収納室１０２と連通する排気口１０９を設け、フィルター１０１の吸込面１１０は垂直方向となるように構成していた。
【０００５】
上記構成において、空気清浄機の運転中に、喫煙者が本体１０６の近傍でタバコを吸い、灰皿１０７を利用するときには、タバコおよび喫煙者の口より発生した煙は吸込口１０８よりフィルター収納室１０２に吸い込まれ、フィルター１０１により煙が浄化されたのち、排気口１０９より浄化された空気が排気されるものであった。
【０００６】
【発明が解決しようとする課題】
このような従来の空気清浄機は、喫煙室や待合室のような狭い場所に置く空気清浄機であるため、コンパクトな構造が求められており、そのため圧力損失の大きなフィルター１０１は面積を稼ぐために縦置きにしなければならず、縦置きにした場合、フィルター１０１交換時にフィルター１０１が倒れたり、交換後のフィルターがフィルター枠から外れやすくメンテナンス性が悪いという課題があり、フィルター１０１を縦置きとした場合でも、交換時にフィルター１０１が簡単に倒れたりフィルター枠から外れない構造とし、メンテナンス性を向上させることが要求されている。
【０００７】
また、灰皿１０７にタバコが針状に突き刺さった状態で放置されたり、灰受けの中のタバコや灰が見えてしまうため見栄えが悪い、あるいは灰皿１０７上の灰が吸込口１０８に吸込まれフィルター１０１の表面に堆積することによりフィルター１０１の寿命を短くしてしまうという課題があり、吸い終わって火を消したタバコは自然に灰受けに導かれて入り、入ったタバコは外から見えにくくすることにより見栄えを良くするとともに、フィルターの寿命を延ばすことが要求されている。
【０００８】
また、排気口１０９から吹き出した吹き出し風が床に衝突し、この時に発生した衝突音が本体底面に反射して外部にでるため騒音が大きくなるという課題があり、吹き出し風が床に衝突して発生した衝突音を低減することが要求されている。
【０００９】
また、灰皿１０７に入るはずの火のついたタバコが誤って灰皿周辺の表面に接触したり、タバコの火を灰皿周辺の表面で消された場合、タバコの熱で表面が焼けたりタール分により変色し、外観上見栄えが悪くなるという課題があり、灰皿に入るはずの火のついたタバコが誤って灰皿周辺の表面に接触したり、タバコの火を灰皿周辺の表面で消された場合でも、タバコの熱で表面が焼けることなく、タバコのタール分により変色しても拭き取るだけで奇麗に再生できることが要求されている。
【００１０】
本発明は、このような従来の課題を解決するものであり、フィルターを縦置きとした場合でも、フィルター交換時にフィルターが簡単に倒れたりフィルター枠から外れない構造とし、メンテナンス性を向上させることを目的としている。
【００１１】
また、吸い終わって火を消したタバコは自然に灰受けに導かれて入り、入ったタバコを外から見えにくくすることにより見栄えを良くし、また灰皿上の灰が吸込口に吸込まれフィルターの表面に堆積し目詰まりすることを防ぐことによりフィルターの寿命をのばすことを目的としている。
【００１２】
また、騒音の低い喫煙用空気清浄機を提供することを目的としている。
【００１３】
また、灰皿に入るはずの火のついたタバコが誤って灰皿周辺の表面に接触したり、タバコの火を灰皿周辺の表面で消された場合でも、タバコの熱で表面が焼けることなく、タバコのタール分により変色しても拭き取るだけで奇麗に再生できる掃除性を良くすることを目的としている。
【００１４】
【課題を解決するための手段】
本発明の喫煙用空気清浄機は、上記課題を解決するために、本体の上部に灰皿受けを有するベースを設け、このベースの上部に吸込口を複数設けた吸込みリングを設け、この吸込みリングの中央の孔に灰皿を挿入し前記灰皿受けの上に置く構成とし、前記吸込口の下流側に設けた集塵手段と、この集塵手段の下流側には吹出口を有した送風手段を設け、前記送風手段を運転することで汚染空気を前記吸込口から吸い込み、前記集塵手段で除塵した空気を前記吹出口から排気する喫煙用空気清浄機であって、前記集塵手段は、上部に設けた吸込口から吸い込んだ空気を吸い込む吸入面を鉛直方向に略平行に配し、その吸入面を押えて保持するフィルター押えを設け、さらに、吸入面と対向する前記本体側面に設けたメンテパネルを開放して脱着することを特徴としたものである。
【００１５】
本発明によれば、フィルターを縦置きとした場合でも、フィルター交換時にフィルターが簡単に倒れたりフィルター枠から外れない構造とし、メンテナンス性を向上させることができる喫煙用空気清浄機が得られる。
【００１６】
また、他の手段は、灰皿は灰受けとこの灰受けにのせた灰皿カバーより成り、前記灰皿カバーは灰入れ孔を有するすり鉢部を設けたすり鉢状とし、前記灰入れ孔の上部に傘部を設け、この傘部は前記すり鉢部の内端側から上部に延びた複数の柱状の傘支持部で保持したものである。
【００１７】
本発明によれば、吸い終わって火を消したタバコは自然に灰受けに導かれて入り、入ったタバコは外から見えにくくすることにより見栄えを良くし、灰皿カバー上の灰が吸込口に吸込まれフィルターの表面に堆積し目詰まりすることを防ぐことによりフィルターの寿命の長い喫煙用空気清浄機が得られる。
【００１８】
また、他の手段は、本体の底面に設けた吹出口から出る吹出し風を整流するダクトの表面に吸音材を張り巡らせたものである。
【００１９】
本発明によれば、吹き出し風が床に衝突して発生した衝突音を、本体の底面に反射することなく吸収することにより騒音の低い喫煙用空気清浄機が得られる。
【００２０】
また、他の手段は、吸込みリングを、半無機系の耐熱塗料で塗装したものである。
【００２１】
本発明によれば、灰皿に入るはずの火のついたタバコが誤って吸込みリング表面に接触したりタバコの火を吸込みリングで消された場合でも、タバコの熱で表面が焼けることなく、またタバコのタール分により変色しても拭き取るだけで奇麗に再生できる掃除性の良い喫煙用空気清浄機が得られる。
【００２２】
【発明の実施の形態】
本発明は、フィルター枠の内周に脱臭フィルターの厚みより大きいパッキンを設けるとともに、このパッキンの内側に脱臭フィルターを着脱自在に納め、その後に集塵手段であるＨＥＰＡフィルターを納めるようになっている。フィルター枠の側面に横に突き出した掛り部と下部にはフィルターガイドを有し、上部には支持部を設け、この支持部を支点に回転自在に動かせるフィルター押えを設けている。このフィルター押え先端の掛り爪をフィルター枠の掛り部に引っ掛けることによりＨＥＰＡフィルターを襷状に保持するとともにＨＥＰＡフィルターをパッキンに押さえつける構成とすることにより、フィルターを着脱自在とし、縦置きにしても倒れたり、フィルター枠から外れないという作用を有する。
【００２３】
また、灰皿は灰受けとこの灰受けにのせた灰皿カバーによって構成し、灰皿カバーは中央に設けた灰入れ孔を有するすり鉢部を設けたすり鉢状とするとともに前記灰入れ孔の上部に傘部を設け、この傘部は前記すり鉢部の内端側から上部に延びた複数の柱状の傘支持部で保持するものであり、タバコを吸った後、タバコの吸い殻は灰皿カバーのすり鉢部や傘部で火を消し、すり鉢部にタバコの吸い殻を置くとすり鉢部斜面を転がって灰入れ孔から灰受けに落ちる。灰入れ孔から灰受けに落ちたタバコの吸い殻は傘部があるため外から見えにくい。また、灰皿カバーのすり鉢部や傘部についた灰やごみは、すり鉢部がすり鉢状に窪んでいるため吸込口へ吸込まれる風の誘引作用が働いても吸込まれないという作用を有する。
【００２４】
また、本体の底面に吸音材を張り巡らせることにより、清浄化された空気は送風装置を通過して吹出口から本体底と床の間を通って外部へ排気され、吹き出し風が床に衝突することにより発生した衝突音を吸音材によって吸収し、騒音を低減するという作用を有する。
【００２５】
また、吸込みリングを半無機系の耐熱塗料で塗装することにより、灰皿に入るはずの火のついたタバコが誤って吸込みリング表面に接触したり、タバコの火を吸込みリングで消された場合でも、表面の半無機系の耐熱塗料によりタバコの熱で表面が焼けることなく、またタバコのタール分により変色しても拭き取るだけで奇麗に再生できるという作用を有する。
【００２６】
【実施例】
以下、本発明の実施例について図面を参照しながら説明する。
【００２７】
初めに図１〜図４を用いて本発明の喫煙用空気清浄機の全体構成を説明する。
【００２８】
図に示すように、外枠２で囲まれた本体１の上部に灰皿受け３を有するアルミダイキャスト製のベース４を設け、このベース４上部には吸込口５を複数備えたアルミダイキャスト製のドーナツ状の吸込みリング６を設けている。吸込みリング６の中央の孔にはステンレス製の灰皿カバー７と灰受け８からなる灰皿９が挿入され、灰皿カバー７を上面に出した状態でベース４の灰皿受け３の上に置かれている。
【００２９】
そして、吸込口５の下流にはプリフィルター１０を設け、このプリフィルター１０の下流には集塵手段としてＨＥＰＡフィルター１２を設け、このＨＥＰＡフィルター１２はフィルター枠１１内に脱臭フィルター１３と共に納め、縦置きしている。さらに、これらの下流側には羽根１４とケーシング１５、電動機１６からなる送風手段１７を設け、この送風手段１７は送風手段台１８上に配置され下面には吹出口１９と吹出し風を整流するダクト２０を設けている。ＨＥＰＡフィルター１２と脱臭フィルター１３が納められたフィルター枠１１に対して上流と下流は仕切板２１により仕切られており、フィルター枠１１の内周に脱臭フィルター１３の厚みより大きいパッキン２２を設けるとともに、このパッキン２２の内側に脱臭フィルター１３を着脱自在に納め、その後にＨＥＰＡフィルター１２を納めるようになっている。フィルター枠１１の側面に横に突き出した掛り部２３と下部にはフィルターガイド２４を有し、上部には支持部２５を設け、この支持部２５を支点に回転自在に動かせるフィルター押え２６を設けている。このフィルター押え２６先端の掛り爪２７をフィルター枠１１の掛り部２３に引っ掛けることによりＨＥＰＡフィルター１２を襷状に保持するとともにＨＥＰＡフィルター１２をパッキン２２に押さえつける構成となっている。
【００３０】
本体１はキャスター２８の付いたキャスター固定板２９の上に乗せてあり、端部に差し込み凸部３０が設けられている。ＨＥＰＡフィルター１２と脱臭フィルター１３の交換はＨＥＰＡフィルター１２正面のメンテパネル３１の開閉により行い、メンテパネル３１の上部にレバー３２とロック爪３３を有するロック装置３４と、下部には差し込み凸部３０が差し込める差し込み孔３５を設けている。メンテパネル３１の開閉はロック装置３４のロック爪３３が仕切板２１の一部から延びたロック金具３６に引っ掛かったり外れることにより行われる。本体１の外枠２表面には操作部３７を設け、ＨＥＰＡフィルター１２と脱臭フィルター１３の下流側の本体１下部には電装部品を制御する制御部３８を設けている。
【００３１】
上記構成により、タバコを吸う際、操作部３７を操作してＯＮ状態にすると、制御部３８がこの信号を受けて送風手段１７の電動機１６などの電装部品に電源が供給される。電源が供給された電動機１６が回転することにより、電動機１６に固定された羽根１４が回転する。送風手段１７の動作により周囲が負圧となるため、タバコを吸った時に出る煙は、本体１上部に設けた吸込みリング６の吸込口５から本体１内に吸い込まれる。吸い込まれたタバコの煙や埃で汚れた空気は、網状のプリフィルター１０を通過することによりタバコの灰などの比較的大きなゴミを除去し、そしてＨＥＰＡフィルター１２を通過することにより微細な煙や埃の粒子を除去し、さらに活性炭のような吸着方式や光分解方式、化学分解方式などによる脱臭フィルター１３で臭いやガス成分を吸着・分解し、送風手段１７のケーシング１５内を通過して吹出口１９から出て、一度床に衝突したのち本体１と床の間から外部へ排出される。タバコを吸う時に出る灰や吸い殻は本体１上部の灰皿９の中に入れることができる。
【００３２】
本体１の移動はキャスター２８により自由に移動でき、また、ＨＥＰＡフィルター１２や脱臭フィルター１３が汚れた場合は、ロック装置３４のレバー３２を下にスライドすることによりロック爪３３も下がり、ロック爪３３がロック金具３６から外れてメンテパネル３１が開く。この時、メンテパネル３１の下部の差し込み孔３５はキャスター固定板２９の差し込み凸部３０に差し込まれて保持されているため、メンテパネル３１が少し開いた状態で上に持ち上げると差し込み孔３５から差し込み凸部３０が外れ、メンテパネル３１本体を取り外すことができる。メンテパネル３１本体を取り外したのち、図５に示すように、フィルター押え２６を少し持ち上げると掛り爪２７が掛り部２３から外れ、今度は掛り部２３の手前を通過して下に下げることによりフィルター押え２６の保持を解除することができ、汚れたＨＥＰＡフィルター１２や脱臭フィルター１３を交換できる。交換後は、逆の手順でフィルター押え２６の掛り爪２３を、ＨＥＰＡフィルター１２を押さえながら掛り部２３に引っ掛けることによって保持されるとともに、ＨＥＰＡフィルター１２がパッキン２２に押し付けられることにより完全にシールされ、メンテパネル３１を取り付けることにより行え、交換が容易となる。
【００３３】
なお、本実施例はＨＥＰＡフィルター１２をＨＥＰＡフィルターで説明したが、ＵＬＰＡや中性能フィルターなどであっても集塵性能が異なるだけで効果は同じである。
【００３４】
また、ＨＥＰＡフィルター１２をフィルター押え２６先端の掛り爪２７をフィルター枠１１の掛り部２３に引っ掛けて襷状に保持したが、真横や縦あるいは複数のフィルター押え２６で保持しても保持性が多少異なるだけで効果は同じである。
【００３５】
また、ＨＥＰＡフィルター１２をフィルター押え２６で押えながら保持しているので、縦置きにしていても倒れたり、フィルター枠から外れることがない。
【００３６】
次に、本発明の灰皿部分の構成について詳しく説明する。
【００３７】
図６および図７に示すように、灰皿９を灰受け８とこの灰受け８にのせた灰皿カバー７によって構成している。灰皿カバー７は、灰入れ孔３９を有するすり鉢部４０を設けたすり鉢状とし、灰入れ孔３９の上部に傘部４１を設け、この傘部４１はすり鉢部４０の内端側から上部に延びた複数の柱状の傘支持部４２で保持している。灰受け８には、取手５０が付けられている。
【００３８】
上記構成により、タバコを吸った後、タバコの吸い殻は灰皿カバー７のすり鉢部４０や傘部４１で火を消され、消されたタバコの吸い殻や灰をすり鉢部４０に置くとすり鉢部４０斜面を滑って灰入れ孔３９から灰受け８に落ちる。灰入れ孔３９から灰受け８に落ちたタバコの吸い殻は傘部４１があるため外から見えにくい。また、灰皿カバー７のすり鉢部４０や傘部４１上に残った灰やごみは、すり鉢部４０がすり鉢状に窪んでいるため吸込口５へ吸込まれる風の誘引作用が働いても吸込まれない。そのため、灰皿カバー７上の灰が吸込口５に吸込まれＨＥＰＡフィルター１２の表面に堆積し目詰まりすることを防ぐことができるため、ＨＥＰＡフィルター１２の寿命を延ばすことができる。
【００３９】
また、灰受け８のタバコの吸い殻等を捨てる時は、灰皿カバー７を持ち上げて外し、灰受け８の取手５０を持って引き上げれば簡単に捨てることができる。
【００４０】
なお、実施例では灰皿カバー７と吸込みリング６は分離した構成としたが、一体にして灰受け８にタバコの吸い殻が一杯になると吸込みリング６ごと外して捨てる構成としても効果は同じである。
【００４１】
次に、本体の下面周辺の構造と風の流れについて詳細に説明する。
【００４２】
図８に示すように、本体底面に設けた吹出口１９から出る吹出し風を整流するダクト２０の表面にゴム系やウレタン系などの吸音材４３を張り巡らせている。
【００４３】
上記構成により、清浄化された空気は送風手段１７を通過して吹出口１９から本体１底と床の間を通って外部へ排気される。この時、吹出し風が床に衝突することにより衝突音が発生するが、衝突音は本体１底面のダクト２０表面の吸音材４３によって吸収されるため騒音を低減できる。
【００４４】
なお、実施例では本体１底面のダクト２０表面に吸音材４３を設けたが、本体１の底面でなくても吹出口１９下流側の風路であれば効果は同じである。
【００４５】
次に、吸込みリング６について詳細に説明する。
【００４６】
本体上部の吸込みリング６を日本油脂（株）製の超低汚染セラミック塗料『ベルクリーン』のような半無機系の耐熱塗料で塗装することによりタバコの熱で表面が焼けるのを防止し、タバコのタール分により変色しても拭き取るだけで奇麗に再生できるようにしている。
【００４７】
さらに、半無機系の耐熱塗料では例えば灰皿カバー７と同じステンレス系の微妙な色を出すことが難しいため、着色した日本油脂（株）製の『ハイウレタン』や大日本ペイント（株）製の『サンクイック１００』などのウレタン樹脂系の塗料を下地に塗装した後、透明色の半無機系の耐熱塗料を塗装することにより微妙な色を出すことができる。
【００４８】
上記構成により、吸込みリング６と灰皿カバー７の色をあわせることができ、美観をよくすることができる。
【００４９】
【発明の効果】
以上のように本発明によれば、集塵手段としてのＨＥＰＡフィルターを縦置きとした場合でも、ＨＥＰＡフィルター交換時にＨＥＰＡフィルターが簡単に倒れたりフィルター枠から外れない構造とし、メンテナンス性を向上させることができるという有利な効果が得られる。
【００５０】
また、吸い終わって火を消したタバコは自然に灰受けに導かれて入り、入ったタバコは外から見えにくくすることにより美観を良くすることができる。
【００５１】
また、灰皿カバー上の灰が吸込口に吸込まれＨＥＰＡフィルターの表面に堆積し目詰まりすることを防ぐことにより、フィルターの寿命を延ばすという有利な効果が得られる。
【００５２】
また、吹き出し風が床に衝突して発生した衝突音を、本体の底面に反射することなく吸収することにより騒音を低減できるという有利な効果が得られる。
【００５３】
また、灰皿に入るはずの火のついたタバコが誤って吸込みリング表面に接触したり、タバコの火を吸込みリングで消された場合でも、タバコの熱で表面が焼けることなく、タバコのタール分により変色しても拭き取るだけで奇麗に再生でき掃除性を良くするという有利な効果が得られる。
【００５４】
また、ウレタン樹脂系の塗料を下地に塗装した後、透明色の半無機系の耐熱塗料を塗装することにより微妙な色を出すことができるので、吸込みリングと灰皿カバーの色をあわせることができ、美観をよくすることができる。
【図面の簡単な説明】
【図１】本発明の実施例の喫煙用空気清浄機の全体構造と風の流れを示した縦断面図
【図２】同喫煙用空気清浄機の正面外観図
【図３】同集塵装置側の内部を示す縦断面図
【図４】同灰皿と吸込みリングを示す正面図
【図５】同フィルター押えの動きを示す集塵手段周辺構造詳細図
【図６】同灰皿周辺構造断面詳細図
【図７】同灰皿構成を示す外観斜視図
【図８】同本体の下面周辺構造と風の流れ、衝突音の反射を示す縦断面詳細図
【図９】従来の空気清浄機の構成を示す縦断面図
【符号の説明】
１      本体
３      灰皿受け
４      ベース
５      吸込口
６      吸込みリング
７      灰皿カバー
８      灰受け
９      灰皿
１２    ＨＥＰＡフィルター（集塵手段）
１７    送風手段
１９    吹出口
２０    ダクト
２６    フィルター押え
３９    灰入れ孔
４０    すり鉢部
４１    傘部
４２    傘支持部
４３    吸音材
【図１】
0004749612.tif 000002
【図２】
0004749612.tif 000003
【図３】
0004749612.tif 000004
【図４】
0004749612.tif 000005
【図５】
0004749612.tif 000006
【図６】
0004749612.tif 000007
【図７】
0004749612.tif 000008
【図８】
0004749612.tif 000009
【図９】
0004749612.tif 000010